(57)【要約】【課題】内部の塵芥による噴射ノズルの損傷を防止することができるとともに、塵芥による悪影響を受けずに消火剤を良好に噴射することができる塵芥収集車の消火装置を提供する。【解決手段】車体上に搭載された塵芥収容箱３と、この塵芥収容箱３の後方開口部に連接されるとともに、内部に塵芥積込装置を装備した塵芥投入箱とを備えた塵芥収集車において、塵芥収容箱３と塵芥投入箱との少なくとも一方にはその壁面に内部に通じる開口３５が形成されるとともに、開口３５を覆うようにして取付ボックス３２が設けられ、取付ボックス３２にはその内部に消火剤を噴射する噴射ノズル３６が開口３５と所定距離を隔てて配置されている。噴射ノズル３６は、開口３５の側方に且つ開口３５から所定距離を隔てて配置されている。取付ボックス３２の側面には、噴射ノズル３６から噴射された消火剤を開口３５に導く傾斜面３３ａが形成されている。【選択図】  図３
2007153516.tif 000002
【特許請求の範囲】
【請求項１】
車体上に搭載された塵芥収容箱と、この塵芥収容箱の後方開口部に連接されるとともに、内部に塵芥積込装置を装備した塵芥投入箱とを備えた塵芥収集車において、
前記塵芥収容箱と塵芥投入箱との少なくとも一方にはその壁面に内部に通じる開口が形成されるとともに、この開口を覆うようにして取付ボックスが設けられ、当該取付ボックスには、その内部に消火剤を噴射する噴射ノズルが上記開口と所定距離を隔てて配置されたことを特徴とする塵芥収集車の消火装置。
【請求項２】
前記噴射ノズルは、前記開口の側方に且つ当該開口から所定距離を隔てて配置されたことを特徴とする請求項１記載の塵芥収集車の消火装置。
【請求項３】
前記取付ボックスの側面には、前記噴射ノズルから噴射された消火剤を前記開口に導く傾斜面が形成されたことを特徴とする請求項２記載の塵芥収集車の消火装置。
【請求項４】
前記取付ボックスには、着脱自在もしくは開閉自在な蓋体が設けられたことを特徴とする請求項１、２又は３記載の塵芥収集車の消火装置。
【発明の詳細な説明】
【技術分野】
【０００１】
本発明は、塵芥収集車において、塵芥を収容する塵芥収容箱内などで発生した火災を消火するための消火装置に関するものである。
【背景技術】
【０００２】
従来、車体上に搭載された塵芥収容箱と、この塵芥収容箱の後方開口部に連接されるとともに内部に塵芥積込装置を装備した塵芥投入箱とを備え、塵芥投入箱内に投入した塵芥を塵芥積込装置により圧縮しながら塵芥収容箱に積込むようにした塵芥収集車が提供されている。
【０００３】
そして、この塵芥収集車には、塵芥収容箱内や塵芥投入箱内で塵芥が発火して火災を起こした場合に当該火災を消火する消火装置が設けられている。具体的には、塵芥収容箱や塵芥投入箱にこれら塵芥収容箱や塵芥投入箱内に臨んで噴射ノズルを設け、この噴射ノズルから不燃性ガスなどの消火剤を塵芥収容箱や塵芥投入箱内に噴射することで、火災を消火するようにしていた（例えば、特許文献１参照。）。
【特許文献１】特許第３６３４２５４号公報
【発明の開示】
【発明が解決しようとする課題】
【０００４】
しかしながら、上記従来の消火装置では、噴射ノズルが塵芥収容箱や塵芥投入箱内に直接露出した状態で配置されているため、内部の塵芥が直接接触することになり、これにより噴射ノズルの損傷や消火剤の噴射を阻害して噴射不良を引き起こすなどの悪影響を及ぼすという問題があった。
【０００５】
本発明は、上記問題点に鑑みてなされたもので、その目的とするところは、内部の塵芥による噴射ノズルの損傷を防止することができるとともに、塵芥による悪影響を受けずに消火剤を良好に噴射することができる塵芥収集車の消火装置を提供することにある。
【課題を解決するための手段】
【０００６】
上記の目的を達成するため、請求項１に係る発明の塵芥収集車の消火装置は、車体上に搭載された塵芥収容箱と、この塵芥収容箱の後方開口部に連接されるとともに、内部に塵芥積込装置を装備した塵芥投入箱とを備えた塵芥収集車において、前記塵芥収容箱と塵芥投入箱との少なくとも一方にはその壁面に内部に通じる開口が形成されるとともに、この開口を覆うようにして取付ボックスが設けられ、当該取付ボックスには、その内部に消火剤を噴射する噴射ノズルが上記開口と所定距離を隔てて配置されたものである。
【０００７】
請求項２に係る発明の塵芥収集車の消火装置は、前記噴射ノズルが、前記開口の側方に且つ当該開口から所定距離を隔てて配置されたものである。
【０００８】
請求項３に係る発明の塵芥収集車の消火装置は、前記取付ボックスの側面には、前記噴射ノズルから噴射された消火剤を前記開口に導く傾斜面が形成されたものである。
【０００９】
請求項４に係る発明の塵芥収集車の消火装置は、前記取付ボックスには、着脱自在もしくは開閉自在な蓋体が設けられたものである。
【発明の効果】
【００１０】
本発明によれば、噴射ノズルを開口と所定距離を隔てて配置したことで、噴射ノズルへの塵芥収容箱内に収容された塵芥の接触を確実に防止することができ、これにより上記塵芥による噴射ノズルの損傷を防止することができるとともに、噴射ノズルによる炭酸ガスの噴射に悪影響を及ぼすのを避けることができる。
【発明を実施するための最良の形態】
【００１１】
以下、本発明の実施の形態について図面を参照して説明する。
【００１２】
図１は、塵芥収集車の概略の構成を示している。
【００１３】
図１において、１は塵芥収集車で、車体２上に塵芥収容箱３が載置されている。この塵芥収容箱３の後方開口部４には、その上方で枢支５された塵芥投入箱６が連接されており、この塵芥投入箱６は、塵芥収容箱３と塵芥投入箱６との間に装設された図示しない傾動シリンダにより枢支５を以て傾動自在に構成されている。
【００１４】
また、塵芥投入箱６の後部には投入口７が開口されるとともに、その内部には塵芥積込装置Ａが装備されている。
【００１５】
塵芥積込装置Ａは、塵芥投入箱６内の塵芥を圧縮して塵芥収容箱３内に詰め込むためのもので、以下、この塵芥積込装置Ａの構成について説明する。
【００１６】
塵芥投入箱６の両側壁には溝型鋼で形成された案内溝部材８が補強枠を兼ねて前方上部から後方下部に向かって傾斜して配設されている。
【００１７】
この塵芥投入箱６内にはその横幅一杯に広がる摺動板１０が収容され、この摺動板１０の両側縁の上下には案内ローラ１１が軸着され、これらの案内ローラ１１は前記案内溝部材８の内壁に沿って摺動自在に嵌合されている。
【００１８】
前記摺動板１０の背面上部にはブラケット１２ａを介して枢軸１２が軸支されており、この枢軸１２は摺動板１０の摺動距離に合致して塵芥投入箱６の側壁に形成された図示しない切欠きを越えて塵芥投入箱６の内側より外側に突出して配置されている。
【００１９】
前記塵芥投入箱６の側壁外側には、第１伸縮シリンダ１３が案内溝部材８の傾斜方向に沿って配設されており、この第１伸縮シリンダ１３の両端部が塵芥投入箱６の側壁を越えて外側に突出した枢軸１２と塵芥投入箱６の下部とに連結されている。従って、第１伸縮シリンダ１３の伸縮作動によって摺動板１０を案内溝部材８に沿って往復移動させることができる。
【００２０】
また、前記摺動板１０の下端には、塵芥投入箱６の横幅一杯に広がる押込板１５の基端部が前後に揺動自在に軸支されている。
【００２１】
前記押込板１５の先端は前方に向かって若干屈折形成されている。前記押込板１５の背面に突設した突片１５ａと前記摺動板１０の背面上部に設けられた枢軸１２間には、第２伸縮シリンダ１４の両端部が連結され、この第２伸縮シリンダ１４の伸縮作動によって前記押込板１５を前後に揺動させることができる。
【００２２】
一方、塵芥収容箱３の底面下方には、固縛シリンダ１７の基端部が枢支されており、この固縛シリンダ１７の先端部が塵芥収容箱３の下部に枢支された固縛爪１８に連結されている。固縛シリンダ１７は、その伸縮作動により固縛爪１８を前後に揺動させることで、当該固縛爪１８を塵芥投入箱６の前面に固設したＵボルト１９に係脱させるようにしており、固縛爪１８をＵボルト１９に係止することで塵芥投入箱６を塵芥収容箱３に対して固縛するようにしている。
【００２３】
さらに、前記塵芥収容箱３内には排出板２０が前後方向に摺動自在に配設されている。排出板２０は、塵芥収容箱３の横幅及び上下高さと略同じ大きさに形成された板状体であり、図示しない排出シリンダの伸縮動作により塵芥収容箱３内を前後に摺動する。
【００２４】
そして、このように構成された塵芥収集車は次のようにして塵芥を塵芥収容箱内に積込んで行く。
【００２５】
まず、図１に示す押込板１５は、塵芥の詰め込み終了時もしくは塵芥投入時の状態を示しており、この状態では第１、第２伸縮シリンダ１３、１４はいずれも伸長され、摺動板１０は上昇終了位置に、押込板１５は圧縮終了位置にある。
【００２６】
この状態で図示しない始動スイッチをＯＮ操作すると塵芥積込動作を開始する。具体的には、第２伸縮シリンダ１４を縮退させ、これにより押込板１５が図１において反時計回りの方向に回動し、当該押込板１５のプレス面が略水平になる位置まで反転する（反転行程）。
【００２７】
そして、押込板１５が反転終了位置に達すると第１伸縮シリンダ１３を縮退させる。この第１伸縮シリンダ１３の縮退により摺動板１０は案内溝部材８に沿って下降し、これに連設されている押込板１５もそのプレス面を略水平状態に保持したまま下降し、押込板１５と塵芥投入箱６の底面の円弧面との間で塵芥を押し潰す（下降行程）。
【００２８】
次に、押込板１５が下降終了位置に達すると第２伸縮シリンダ１４を伸長させる。この結果、押込板１５は、そのプレス面が略垂直状態になる位置まで図１において時計回りの方向に回動し、前工程で押し潰された塵芥を押込板１５のプレス面と塵芥投入箱６の底面の平坦面間で圧縮する（圧縮行程）。
【００２９】
そして、押込板１５が圧縮終了位置に達すると第１伸縮シリンダ１３を伸長させる。この結果、押込板１５はそのプレス面が略垂直状態を保持したまま上昇し、前行程にて圧縮した塵芥を塵芥収容箱３内に詰め込む（上昇行程）。
【００３０】
つまり、上述した反転行程、下降行程、圧縮行程、上昇行程を順次行うことで、押込板１５によって塵芥投入箱６内に投入した塵芥を塵芥収容箱３に収容していく。
【００３１】
ところで、このようにして構成された塵芥収集車１には消火装置３０が設けられている。
【００３２】
消火装置３０は、図２に示すように、塵芥収容箱３の前面に設けられた貯留部３１と、噴射ノズル３６（図３参照）を有する取付ボックス３２とを備えている。
【００３３】
貯留部３１は、噴射ノズル３６から塵芥収容箱３内に噴射する不燃性ガスを貯留した１本乃至複数本（本例では２本）のボンベ３１ａから構成されている。上記不燃性ガスとしては、例えば二酸化炭素ガス（炭酸ガス）の他、ヘリウムやアルゴン、窒素などが用いられる。
【００３４】
取付ボックス３２は、塵芥収容箱３上面の後部寄りに左右に一対設けられており、この取付ボックス３２に後述する噴射ノズル３６が取付けられている。
【００３５】
具体的には、図３に示すように、上記取付ボックス３２を設ける塵芥収容箱３の上面には内部に通じる開口３５が形成されており、この開口３５を覆うようにして取付ボックス３２が設けられている。
【００３６】
取付ボックス３２は、図３に示すように、ボックス本体３３と、このボックス本体３３に着脱自在な蓋体３４とで構成されている。
【００３７】
ボックス本体３３は、図３及び図４に示すように、底面に形成した通孔３３ｃを通じて前記開口３５を囲むようになされた平面視矩形状で且つ上面が開口された所定高さの箱体であって、車両を基準にした場合の後部側底面に上記通孔３３ｃが形成されており、この通孔３３ｃが開口３５と合致するように配設されている。そして、この後部側の側面は途中部から上端部にかけて内方に傾斜した傾斜面３３ａに形成されている。一方、開口３５から所定距離を隔てた側方となる前部側の側面３３ｂには噴射ノズル３６が配設されている。
【００３８】
噴射ノズル３６は、その噴射部３６ａがボックス本体３３内に突出するようにして上記側面３３ｂに貫通した状態で且つ上記傾斜面３３ａと所定の距離を隔てて対峙するように配設されており、前記貯留部３１のボンベ３１ａに例えば銅製の管体３７によって連通されている。
【００３９】
前記蓋体３４は、前記ボックス本体３３の上面開口を閉塞するためのもので、図５及び図６に示すように水平板３４ａと垂直板３４ｂとによってＬ字状に形成されている。
【００４０】
上記水平板３４ａはボックス本体３３の上面開口を覆う部位である。従って、垂直板３４ｂに形成された挿通孔３４ｃを前記噴射ノズル３６に通して当該垂直板３４ｂを前記側面３３ｂの内面に沿って配置しながら、まず水平板３４ａでボックス本体３３の上面開口を閉塞する。そして、この状態でボックス本体３３側の上面に固設されたナット３８ａに蓋体３４の外側からボルトなどのネジ部材３９螺入するとともに、蓋体３４側の垂直板３４ｂに固設されたナット３８ｂにボックス本体３３の外側から上記ネジ部材３９を螺入することで（図３参照）、蓋体３４をボックス本体３３に固定することができる。この場合、内部への雨水などの浸入を防止するためにボックス本体３３と蓋体３４との接合部分にはシーリングを施すようにしている。
【００４１】
また、塵芥収容箱３の側部前側下方にはスイッチボックス４０（図２参照）が設けられている。このスイッチボックス４０には図示しないが作動スイッチが設けられており、火災発生時にこの作動スイッチを作業者がＯＮ操作することによって、各ボンベ３１ａから噴射ノズル３６に炭酸ガスを圧送し、当該噴射ノズル３６からこの炭酸ガスを噴射するようにしている。
【００４２】
従って、例えば塵芥収容箱３内で火災が生じた場合には、作動スイッチのＯＮ操作によってボンベ３１ａの炭酸ガスは、取付ボックス３２内において所定の距離を隔てて配置されている傾斜面３３ａに向かって噴射ノズル３６から噴射され、この傾斜面３３ａに当たって下方に導かれ、通孔３３ｃ、開口３５を通じて塵芥収容箱３内に噴射され、これによって火災を迅速に消火することができる。つまり、傾斜面３３ａは、噴射ノズル３６から噴射した炭酸ガスを開口３５を通じて塵芥収容箱３内に導くためのガイドになっている。
【００４３】
このように噴射ノズル３６を取付ボックス３２に設けたことによって、この噴射ノズル３６への塵芥収容箱３内に収容された塵芥の接触を確実に防止することができる。これにより上記塵芥による噴射ノズル３６の損傷を防止することができるとともに、噴射ノズル３６による炭酸ガスの噴射に悪影響を及ぼすのを避けることができるので、火災時には噴射ノズル３６から炭酸ガスを塵芥収容箱３内に良好に噴射して消火することができる。
【００４４】
図７は、消火装置の他の例を示している。
【００４５】
この消火装置３０は、噴射ノズル３６を前記開口３５に対して上方に所定距離を隔てて配置したものである。
【００４６】
具体的には、底面が無い箱状体に形成されたボックス本体３３の上面に、噴射ノズル３６の噴射部３６ａが開口３５から上方に所定距離隔てて配置されるように当該ボックス本体３３の内部に突出して配置されている。
【００４７】
また、このボックス本体３３には、例えば当該ボックス本体３３の側面に形成された開口４１を開閉自在な蓋体４０が設けられており、この開口４１を通じてボックス本体３３内のメンテナンス等を行うようにしている。
【００４８】
なお、上述した実施形態は、あくまでも本発明の好適な実施態様を示すものであって、本発明はこれに限定されることなく、その範囲内において種々設計変更可能である。
【００４９】
例えば、本例では噴射ノズル３６を備えた取付ボックス３２を塵芥投入箱６側に設けたものについて説明したが、取付ボックス３２を塵芥投入箱６側に、または塵芥収容箱３と塵芥投入箱６の両方に設けてもよい。
【００５０】
また、塵芥積込装置Ａは本例のような構造に限らず、塵芥投入箱の底部に設けた回転板と、この回転板の上方に前後に揺動自在に設けた揺動板を備え、これら回転板の回転動作と揺動板の揺動動作とによって塵芥を塵芥収容箱に詰め込むタイプのものであってもよい。
【図面の簡単な説明】
【００５１】
【図１】塵芥収集車の消火装置を示す一部破断の側面図である。
【図２】塵芥収集車への消火装置の配設状態を示す概略の平面図である。
【図３】噴射ノズルを設けた取付ボックスを示す側面図である。
【図４】取付ボックスのボックス本体を示す平面図である。
【図５】取付ボックスの蓋体を示す側面図である。
【図６】同じく蓋体を示す正面図である。
【図７】消火装置の他の例を示す断面図である。
【符号の説明】
【００５２】
１  塵芥収集車
２  車体
３  塵芥収容箱
４  後方開口部
６  塵芥投入箱
３０  消火装置
３２  取付ボックス
３３ａ  傾斜面
３４  蓋体
３５  開口
３６  噴射ノズル
４０  蓋体
Ａ  塵芥積込装置
【図１】
2007153516.tif 000003
【図２】
2007153516.tif 000004
【図３】
2007153516.tif 000005
【図４】
2007153516.tif 000006
【図５】
2007153516.tif 000007
【図６】
2007153516.tif 000008
【図７】
2007153516.tif 000009